(57)【要約】【課題】ウォブル検出装置において、ウォブル信号およびウォブル付帯情報をより正確に検出することができるようにする。【解決手段】遅延調整部１０１・１０２は、それぞれに入力された第１の信号、および第２の信号の遅延量を調整する。自動利得調整部１０３・１０４は、遅延調整部１０１・１０２で遅延量が調整された第１の信号、および第２の信号の振幅をそれぞれ正規化する。差信号生成部１０５は、自動利得調整部１０３・１０４によって正規化された後の前記第１の信号と前記第２の信号との差信号を生成する。【選択図】図１
2007102828.tif 000002
【特許請求の範囲】
【請求項１】
光ディスクのトラックに光ビームが照射された際に、前記トラックの一方の側端部からの第１の反射光から得られた第１の信号、および前記トラックの他方の側端部からの第２の反射光から得られた第２の信号が入力され、入力された前記第１の信号、および前記第２の信号に基づいてウォブル信号を検出するウォブル検出装置であって、
入力された前記第１の信号、および前記第２の信号のそれぞれの振幅を正規化する利得調整部と、
前記正規化がされた後の前記第１の信号と前記正規化がされた後の前記第２の信号との差信号を生成する差信号生成部と、
入力された前記第１の信号が前記差信号生成部に至るまでの経路、および入力された前記第２の信号が前記差信号生成部に至るまでの経路のうちの少なくとも一方の経路上に介在して、前記第１の信号、および前記第２の信号のうちの少なくとも何れかの信号の遅延量を調整する遅延調整部と、
を備えたことを特徴とするウォブル検出装置。
【請求項２】
請求項１のウォブル検出装置であって、さらに、
前記ウォブル信号以外で、前記差信号に含まれる信号成分の振幅を検出する振幅検出部と、
前記振幅検出部が検出した前記振幅に応じて、前記遅延調整部が調整する遅延量を決定する補正量調整部とを備え、
前記遅延調整部は、前記補正量調整部が決定した遅延量で、前記調整を行うように構成されていることを特徴とするウォブル検出装置。
【請求項３】
請求項１のウォブル検出装置であって、さらに、
前記利得調整部が正規化した前記第１の信号に含まれるウォブル信号以外の信号成分と前記ウォブル信号以外で前記第２の信号に含まれる信号成分との位相差を検出する位相差検出部と、
前記位相差検出部が検出した前記位相差に応じて、前記遅延調整部が調整する遅延量を決定する補正量調整部とを備え、
前記遅延調整部は、前記補正量調整部が決定した遅延量で、前記調整を行うように構成されていることを特徴とするウォブル検出装置。
【請求項４】
請求項３のウォブル検出装置であって、
前記位相差検出部は、読み出し専用光ディスクを再生する装置において、トラッキング制御に用いられる位相差検出部と兼用されていることを特徴とするウォブル検出装置。
【請求項５】
請求項１のウォブル検出装置であって、さらに、
入力された前記第１の信号に含まれるウォブル信号以外の信号成分と入力された前記第２の信号に含まれるウォブル信号以外の信号成分との位相差を検出する位相差検出部と、
前記位相差検出部が検出した前記位相差に応じて、前記遅延調整部が調整する遅延量を決定する補正量調整部とを備え、
前記遅延調整部は、前記補正量調整部が決定した遅延量で、前記調整を行うように構成されていることを特徴とするウォブル検出装置。
【発明の詳細な説明】
【技術分野】
【０００１】
本発明は、ウォブル信号およびウォブル付帯情報が形成された光ディスクにデータを記録、または前記光ディスクからデータを再生する光ディスク装置において、前記光ディスクから読み出した信号よりウォブル信号およびウォブル付帯情報を検出するウォブル検出装置に関するものである。
【背景技術】
【０００２】
一般に、記録可能な光ディスクには、図７に示すように、データ記録再生時に光スポットをガイドする為の案内溝（グルーブ）が形成され、データはこの案内溝に沿って記録される。
【０００３】
前記の案内溝は、特定の周波数でウォブリングされ、光ディスクの回転数を制御するための基準クロック信号の基になるウォブル信号の生成に使用される。また、例えばＤＶＤ＋ＲやＤＶＤ＋ＲＷでは、通常のウォブル信号と、通常のウォブル信号の位相を１８０度反転させた信号との組み合わせでＡＤＩＰ（Ａｄｄｒｅｓｓ  Ｉｎ  Ｐｒｅ−Ｇｒｏｏｖｅ）というアドレス情報（ウォブル付帯情報）が形成されている。
【０００４】
ウォブル信号およびウォブル付帯情報を検出する方法としては、光ディスクのトラックに光ビームを照射した際に、トラックの一方の側端部からの第１の反射光から得られた第１の信号（以下、ＴＥ＋と記載する）、および前記トラックの他方の側端部からの第２の反射光から得られた第２の信号（以下、ＴＥ−と記載する）をそれぞれ増幅器に通した後、増幅された信号同士の差信号を生成して、ウォブル信号およびウォブル付帯情報を検出する方法が広く採用されている。すなわち、ＴＥ＋とＴＥ−とには、ピット情報を含むＲＦ信号とウォブル信号の双方が含まれているが、差信号を生成することで同相成分であるＲＦ信号は除去されてウォブル信号だけが検出される。
【０００５】
しかし、実際の光ディスク装置では、差信号を生成する際に、光ピックアップから差信号生成部（差信号を生成する回路）までの経路において、ＴＥ＋とＴＥ−との振幅差、あるいはそれらのばらつきを生じる場合がある。その場合は、差信号のＲＦ残留成分が大きくなり、ＲＦ残留成分は、ウォブルの信号品質劣化および付帯情報検出率低下の要因となる。
【０００６】
そのため、光ディスク装置において、上記の方法を実現するウォブル検出装置には、ＴＥ＋とＴＥ−との差信号を生成する前に、自動利得調整部（ＡＧＣ）を設けて、ＲＦ信号の振幅を一定にした後に、差信号を生成するように構成されたものある（例えば特許文献１を参照）。このウォブル検出装置によれば、ウォブル信号およびウォブル付帯情報を精度よく検出することが可能な差信号を得ることができる。
【特許文献１】特開２００５−１５８１０８号公報
【発明の開示】
【発明が解決しようとする課題】
【０００７】
しかしながら、前記自動利得調整部（ＡＧＣ）で調整できるのは、当然ながら振幅のみなので、ＴＥ＋とＴＥ−とに遅延差がある場合には、差信号を求めてもＲＦ信号成分を完全には除去できない。すなわち、上記のウォブル検出装置では、ＴＥ＋とＴＥ−とに遅延差がある場合に、差信号に依然ＲＦ信号成分が残留するという問題がある。
【０００８】
これに対しては、差信号に対するフィルタ処理等でＲＦ残留成分を除去することが考えられる。しかし、例えばＤＶＤ＋ＲやＤＶＤ＋ＲＷなどのウォブル信号成分は、基本周波数が８１７ｋＨｚであり（他のＤＶＤ記録用光ディスクの約６倍の周波数）、ＲＦ信号成分の周波数帯域に近接しているので、前記のフィルタ処理等では、ＲＦ残留成分を除去することが困難である。このため、ウォブル信号品質劣化やウォブル付帯情報検出率低下を招くことになる。
【０００９】
本発明は、前記の問題に着目してなされたものであり、ウォブル信号およびウォブル付帯情報をより正確に検出することができるウォブル検出装置を提供することを目的としている。
【課題を解決するための手段】
【００１０】
前記の課題を解決するため、請求項１の発明は、
光ディスクのトラックに光ビームが照射された際に、前記トラックの一方の側端部からの第１の反射光から得られた第１の信号、および前記トラックの他方の側端部からの第２の反射光から得られた第２の信号が入力され、入力された前記第１の信号、および前記第２の信号に基づいてウォブル信号を検出するウォブル検出装置であって、
入力された前記第１の信号、および前記第２の信号のそれぞれの振幅を正規化する利得調整部と、
前記正規化がされた後の前記第１の信号と前記正規化がされた後の前記第２の信号との差信号を生成する差信号生成部と、
入力された前記第１の信号が前記差信号生成部に至るまでの経路、および入力された前記第２の信号が前記差信号生成部に至るまでの経路のうちの少なくとも一方の経路上に介在して、前記第１の信号、および前記第２の信号のうちの少なくとも何れかの信号の遅延量を調整する遅延調整部と、
を備えたことを特徴とする。
【００１１】
これにより、遅延調整部にてＴＥ＋とＴＥ−の遅延量が調整されるので、差信号の残留ＲＦ信号を低減させることができる。
【００１２】
また、請求項２の発明は、
請求項１のウォブル検出装置であって、さらに、
前記ウォブル信号以外で、前記差信号に含まれる信号成分の振幅を検出する振幅検出部と、
前記振幅検出部が検出した前記振幅に応じて、前記遅延調整部が調整する遅延量を決定する補正量調整部とを備え、
前記遅延調整部は、前記補正量調整部が決定した遅延量で、前記調整を行うように構成されていることを特徴とする。
【００１３】
これにより、ウォブル信号以外で、差信号に含まれる信号成分の振幅に応じて、遅延調整部における遅延量が決定されるので、固体差や動作状態に応じた適切な遅延量に調整できる。
【００１４】
また、請求項３の発明は、
請求項１のウォブル検出装置であって、さらに、
前記利得調整部が正規化した前記第１の信号に含まれるウォブル信号以外の信号成分と前記ウォブル信号以外で前記第２の信号に含まれる信号成分との位相差を検出する位相差検出部と、
前記位相差検出部が検出した前記位相差に応じて、前記遅延調整部が調整する遅延量を決定する補正量調整部とを備え、
前記遅延調整部は、前記補正量調整部が決定した遅延量で、前記調整を行うように構成されていることを特徴とする。
【００１５】
これにより、正規化された前記第１の信号に含まれるウォブル信号以外の信号成分とウォブル信号以外で前記第２の信号に含まれる信号成分との位相差に応じて、最適な補正量が決定されるので、個体差や動作状態に応じた適切な遅延量に調整可能である。
【００１６】
また、請求項４の発明は、
請求項３のウォブル検出装置であって、
前記位相差検出部は、読み出し専用光ディスクを再生する装置において、トラッキング制御に用いられる位相差検出部と兼用されていることを特徴とする。
【００１７】
これにより、位相差検出部が、読み出し専用光ディスクを再生する装置においてトラッキング制御に用いられる位相差検出部と兼用されるので、ウォブル検出装置をより安価に実現できる。
【００１８】
また、請求項５の発明は、
請求項１のウォブル検出装置であって、さらに、
入力された前記第１の信号に含まれるウォブル信号以外の信号成分と入力された前記第２の信号に含まれるウォブル信号以外の信号成分との位相差を検出する位相差検出部と、
前記位相差検出部が検出した前記位相差に応じて、前記遅延調整部が調整する遅延量を決定する補正量調整部とを備え、
前記遅延調整部は、前記補正量調整部が決定した遅延量で、前記調整を行うように構成されていることを特徴とする。
【００１９】
これにより、入力された第１・第２の信号の位相差が検出されて遅延量が調整されるので、正規化された後の第１・第２の信号の位相差を検出する場合に比べ、より安価にウォブル検出装置を実現できる。
【発明の効果】
【００２０】
本発明によれば、入力された前記第１の信号と前記第２の信号との遅延差が調整されるので、ウォブル信号およびウォブル付帯情報をより正確に検出することが可能な差信号を得ることができる。
【発明を実施するための最良の形態】
【００２１】
以下、本発明の実施形態について図面を参照しながら説明する。
【００２２】
《発明の実施形態１》
図１は、本発明の実施形態１に係るウォブル検出装置１００の構成を示すブロック図である。ウォブル検出装置１００は、図１に示すように遅延調整部１０１、遅延調整部１０２、自動利得調整部１０３、自動利得調整部１０４、差信号生成部１０５、ウォブル信号生成部１０６、および付帯情報生成部１０７を備えて構成されている。
【００２３】
遅延調整部１０１は、光ディスクのトラックに光ビームを照射した際に、一方の側端部からの第１の反射光から得られた第１の信号（以下、ＴＥ＋と記載する）、および前記トラックの他方の側端部からの第２の反射光から得られた第２の信号（以下ＴＥ−と記載する）のうちのＴＥ＋の遅延量を調整するようになっている。
【００２４】
遅延調整部１０２は、ＴＥ−の遅延量を調整するようになっている。
【００２５】
自動利得調整部１０３（ＡＧＣ）は、遅延調整部１０１によって遅延量が調整されたＴＥ＋の振幅を一定の振幅に自動調整するようになっている。また、自動利得調整部１０４（ＡＧＣ）は、遅延調整部１０２によって遅延量が調整されたＴＥ−の振幅を一定の振幅に自動調整するようになっている。
【００２６】
差信号生成部１０５は、自動利得調整部１０３を通過したＴＥ＋と自動利得調整部１０４を通過したとＴＥ−との差信号を生成するようになっている。
【００２７】
ウォブル信号生成部１０６は、前記差信号からウォブル信号を抽出するようになっている。
【００２８】
付帯情報生成部１０７は、前記差信号からウォブル付帯情報（ＡＤＩＰ：Ａｄｄｒｅｓｓ  Ｉｎ  Ｐｒｅ−Ｇｒｏｏｖｅ）を抽出するようになっている。
【００２９】
上記のウォブル検出装置１００において、遅延調整部１０１・１０２に、図２に示すＴＥ＋とＴＥ−とがそれぞれ入力された場合の動作を説明する。これらの信号は、ＲＦ信号成分の振幅が互いに異なり、また遅延量が互いに異なる信号である。
【００３０】
遅延調整部１０１・１０２にそれぞれＴＥ＋、ＴＥ−が入力されると、遅延調整部１０１・１０２は、それぞれに入力された信号の遅延量を調整して出力する。この例では、図２に示すように遅延調整部１０２は、入力されたＴＥ−を遅延させて出力し、遅延調整部１０１は、入力されたＴＥ＋をそのまま出力する。これにより、ＴＥ＋とＴＥ−との遅延差が最適（差が小さくなるように）に調整される。
【００３１】
遅延調整部１０１・１０２によってそれぞれ遅延量が調整されたＴＥ＋とＴＥ−とは、それぞれ自動利得調整部１０３・１０４に入力される。自動利得調整部１０３・１０４は、それぞれに入力された信号の振幅を調整して出力する。これにより、図２に示すように、ＴＥ＋とＴＥ−との振幅が揃えられる。
【００３２】
自動利得調整部１０３・１０４がそれぞれ出力したＴＥ＋とＴＥ−とは、差信号生成部１０５に入力される。差信号生成部１０５は、入力されたＴＥ＋とＴＥ−との差信号を生成する。この場合、差信号生成部１０５に入力されたＴＥ＋とＴＥ−とは、遅延差が小さくなるようにそれぞれの遅延量が調整され、また互いに振幅が揃っているので、生成された差信号は、ＲＦ残留成分のない品質の高い信号として得ることできる。この差信号は、ウォブル信号生成部１０６に入力されてウォブル信号が生成される。また、前記差信号は付帯情報生成部１０７にも入力され、ウォブル付帯情報が生成される。生成されたウォブル信号、およびウォブル付帯情報は、前記差信号がＲＦ残留成分のない品質の高い信号なので、より精度が高いものとなっている。
【００３３】
上記のように本実施形態によれば、入力されたＴＥ＋とＴＥ−との遅延量、および振幅が揃えられるので、ウォブル信号およびウォブル付帯情報を精度よく検出することが可能になる。
【００３４】
《発明の実施形態２》
図３は、本発明の実施形態２に係るウォブル検出装置２００の構成を示すブロック図である。ウォブル検出装置２００は、図３に示すように、実施形態１におけるウォブル検出装置１００の遅延調整部１０１・１０２に代えて遅延調整部２０１、遅延調整部２０２を備え、さらにＲＦ振幅検出部２０３と遅延補正量調整部２０４とが追加されて構成されている。なお、以下に説明する各実施形態において、前記実施形態１等と同様の機能を有する構成要素については、同一の符号を付して説明を省略する。
【００３５】
遅延調整部２０１・２０２は、それぞれに入力された制御信号（後述）に応じて、それぞれに入力されたＴＥ＋、ＴＥ−の遅延量を調整するようになっている。
【００３６】
ＲＦ振幅検出部２０３は、前記差信号に含まれるＲＦ残留成分の振幅を検出するようになっている。
【００３７】
遅延補正量調整部２０４は、ＲＦ振幅検出部２０３が検出したＲＦ残留成分の振幅情報に基づいて、ウォブル信号のジッタやウォブル付帯情報の検出率が最適になるように、遅延調整部２０１・２０２における適切な遅延量を算出し、遅延調整部２０１・２０２の遅延量を算出した値に設定するための制御信号をそれぞれ遅延調整部２０１・２０２に出力するようになっている。
【００３８】
ウォブル信号のジッタや付帯情報の検出率が最適になる遅延量は、通常は残留ＲＦ信号の振幅が０になるポイントがターゲットになる。しかし、光ピックアップの特性ばらつきや再生している光ディスクの状態などによって、遅延量の最適点は変化する可能性もある。このような場合は、あらかじめ最適点とＲＦ残留成分の振幅との関係を定めたテーブルに従って遅延量を決定するようにすればよい。また、逐次、ウォブル信号のジッタやウォブル付帯情報検出率を見ながら動作中に遅延量を変化させるようにしてもよい。なお、遅延補正量調整部２０４は、例えば光ディスク再生装置におけるシステムコントローラ等が受け持つことも可能である。
【００３９】
《発明の実施形態３》
図４は、本発明の実施形態３に係るウォブル検出装置３００の構成を示すブロック図である。ウォブル検出装置３００は、図４に示すように、実施形態２におけるウォブル検出装置２００のＲＦ振幅検出部２０３に代えて位相差検出部３０１を備え、遅延補正量調整部２０４に代えて遅延補正量調整部３０２を備えて構成されている。
【００４０】
位相差検出部３０１は、自動利得調整部１０３を通過後のＴＥ＋に含まれるＲＦ残留成分と、自動利得調整部１０４を通過後のＴＥ−に含まれるＲＦ残留成分との位相差を検出し、位相差の大きさを示す位相差エラー信号を出力するようになっている。
【００４１】
遅延補正量調整部３０２は、前記位相差エラー信号に応じて、遅延調整部２０１、および遅延調整部２０２の遅延量を設定するための制御信号をそれぞれ遅延調整部２０１・２０２に出力するようになっている。具体的には、遅延補正量調整部３０２は、前記位相差エラー信号をもとにウォブル出力のジッタや付帯情報の検出率が最適になるように遅延量を調整する。最適な遅延量は、通常は位相差が０になるポイントがターゲットになる。しかし、ピックアップの特性ばらつきや再生しているディスクの状態などによって最適点は変化する可能性もある。このような場合はあらかじめ最適点と前記位相差との関係を定めたテーブルに従って遅延量を決定するようにすればよい。また、実施形態２のウォブル検出装置と同様に、逐次、ウォブル信号のジッタやウォブル付帯情報検出率を見ながら動作中に遅延量を変化させるようにしてもよい。
【００４２】
なお、本実施形態においても、遅延補正量調整部３０２は、例えば、光ディスク再生装置におけるシステムコントローラ等が受け持つことも可能である。
【００４３】
《発明の実施形態４》
図５は、本発明の実施形態４に係るウォブル検出装置４００の構成を示すブロック図である。ウォブル検出装置４００は、図５に示すように、実施形態３におけるウォブル検出装置３００に対してスイッチ４０１が追加されている。また、本実施形態における位相差検出部３０１は、光ディスク装置においてＲＯＭ（Ｒｅａｄ  Ｏｎｌｙ  Ｍｅｍｏｒｙ）系ディスク再生用として本来備えている位相差検出部と兼用されている。
【００４４】
通常、再生および記録が可能な光ディスク装置においては、ＤＶＤ−ＲＯＭ（場合によってはＣＤ−ＲＯＭ）等のＲＯＭ系ディスクの再生時に、トラッキングエラーを検出するために位相差検出部を備えている。このＲＯＭ系ディスク再生用の位相差検出部は、ウォブルが存在するような記録型メディアに対しては、多くの場合使用されていない。そこで、本実施形態では、ＴＥ＋に含まれるＲＦ残留成分とＴＥ−に含まれるＲＦ残留成分との位相差検出に使用する位相差検出部と、ＲＯＭ系ディスク再生用の位相差検出部とが兼用されている。そのため、本実施形態において位相差検出部３０１は、前記位相差エラー信号をトラッキングエラー信号としても出力するようになっている。
【００４５】
スイッチ４０１は、トラッキングエラー検出用の信号を位相差検出部３０１に入力するか、遅延量と振幅が調整された後のＴＥ＋とＴＥ−とを位相差検出部３０１に入力するかを切り替えるようになっている。具体的には、ウォブル信号を検出する場合には、遅延調整部２０１・２０２で遅延量が調整され、さらに自動利得調整部１０３・１０４で振幅が調整された後のＴＥ＋とＴＥ−が位相差検出部３０１に入力され、またトラッキングエラーを検出する場合には、ウォブル検出装置４００に入力された信号そのものが位相差検出部３０１に入力される。これは、ＲＯＭ系ディスク再生用の位相差検出部は、光ディスクから読み取られた信号そのものの位相差を検出する必要があるためである。
【００４６】
本実施形態では、上記のように位相差検出部を兼用することによって、より安価な構成で実施形態３等の装置と同様の効果を得ることが可能になる。
【００４７】
《発明の実施形態５》
図６は、本発明の実施形態５に係るウォブル検出装置５００の構成を示すブロック図である。ウォブル検出装置５００は、図６に示すように、実施形態３のウォブル検出装置３００と比べ、位相差検出部３０１に入力される信号が異なっている。本実施形態では、ウォブル検出装置３００のように、位相差検出部３０１に自動利得調整部１０３・１０４の出力したＴＥ＋，ＴＥ−が入力されるのではなく、本装置に入力されたＴＥ＋、およびＴＥ−そのものが位相差検出部３０１に入力されている。これは、ＴＥ＋、およびＴＥ−に遅延差が発生する要因の多くは、光ピックアップや光ピックアップからウォブル検出装置までの伝送系の遅延特性のチャネル差だからである。
【００４８】
また、本実施形態では、位相差検出部３０１は、実施形態４のウォブル検出装置４００と同様に、ＲＯＭ系ディスク再生用の位相差検出部と兼用され、位相差エラー信号をトラッキングエラー信号として出力するようになっている。
【００４９】
上記のウォブル検出装置５００では、遅延調整後における信号の位相差をフィードバックして、遅延調整部２０１・２０２の遅延量を調整することはできないが、あらかじめ位相差エラー信号と、ウォブル信号のジッタや付帯情報検出率等との関係を定めたテーブルを用いて遅延量を算出するように遅延補正量調整部３０２を構成することによって、遅延調整部２０１・２０２の遅延量を最適に調整することが可能である。
【００５０】
上記のように本実施形態によれば、ウォブル検出装置４００におけるスイッチ４０１が不要なので、ウォブル検出装置４００よりも、さらに安価な構成で実施形態３等の装置と同様の効果を得ることが可能になる。
【００５１】
なお、ＴＥ＋、ＴＥ−の遅延量調整は、差信号生成部１０５に入力される前の段階であればよい。例えば、自動利得調整部１０３・１０４の出力に対して遅延調整をした後の信号を差信号生成部１０５に入力するようにしてもよい。また、遅延調整部１０１・１０２は、何れか一方のみを設けるようにしてもよい。すなわち、遅延量調整部は、入力されたＴＥ＋が差信号生成部１０５に至るまでの経路、および入力されたＴＥ−が差信号生成部１０５に至るまでの経路のうちの少なくとも一方の経路上に介在して、ＴＥ＋、およびＴＥ−のうちの少なくとも何れか１つの信号の遅延量を調整するように構成すればよい。
【産業上の利用可能性】
【００５２】
本発明にかかるウォブル検出装置は、入力された前記第１の信号と前記第２の信号との遅延差が調整されるので、ウォブル信号およびウォブル付帯情報をより正確に検出することが可能な差信号を得ることができるという効果を有し、ウォブル信号およびウォブル付帯情報が形成された光ディスクにデータを記録、または前記光ディスクからデータを再生する光ディスク装置において、前記光ディスクから読み出した信号よりウォブル信号およびウォブル付帯情報を検出するウォブル検出装置等として有用である。
【図面の簡単な説明】
【００５３】
【図１】実施形態１に係るウォブル検出装置の構成を示すブロック図である。
【図２】実施形態１に係るウォブル検出装置おけるウォブル検出回路の動作波形を示す図である。
【図３】実施形態２に係るウォブル検出装置の構成を示すブロック図である。
【図４】実施形態３に係るウォブル検出装置の構成を示すブロック図である。
【図５】実施形態４に係るウォブル検出装置の構成を示すブロック図である。
【図６】実施形態５に係るウォブル検出装置の構成を示すブロック図である。
【図７】記録可能な光ディスク記録面の構造を示す図である。
【符号の説明】
【００５４】
１００      ウォブル検出装置
１０１      遅延調整部
１０２      遅延調整部
１０３      自動利得調整部
１０４      自動利得調整部
１０５      差信号生成部
１０６      ウォブル信号生成部
１０７      付帯情報生成部
２００      ウォブル検出装置
２０１      遅延調整部
２０２      遅延調整部
２０３      ＲＦ振幅検出部
２０４      遅延補正量調整部
３００      ウォブル検出装置
３０１      位相差検出部
３０２      遅延補正量調整部
４００      ウォブル検出装置
４０１      スイッチ
５００      ウォブル検出装置
【図１】
2007102828.tif 000003
【図２】
2007102828.tif 000004
【図３】
2007102828.tif 000005
【図４】
2007102828.tif 000006
【図５】
2007102828.tif 000007
【図６】
2007102828.tif 000008
【図７】
2007102828.tif 000009